【手続補正書】
【提出日】平成27年7月2日(2015.7.2)
【手続補正１】
【補正対象書類名】明細書
【補正対象項目名】０００６
【補正方法】変更
【補正の内容】
【０００６】
上記課題を解決するため、本発明に係る表示システムは、
第一の表示端末は、
第一の表示手段と、
前記第一の表示手段に表示されている表示内容を示す情報を取得する取得手段と、
前記取得手段により取得された前記表示内容を示す情報を、通信可能に接続された第二の表示端末に送信する送信手段と、を備え、
前記第二の表示端末は、
第二の表示手段と、
前記第一の表示端末から送信された前記表示内容を示す情報を受信する受信手段と、
前記受信手段により受信された前記表示内容を示す情報に基づいて、前記第一の表示手段の表示内容に関連する内容の関連情報を前記第二の表示手段に表示させる制御手段と、を備えることを特徴としている。
【手続補正２】
【補正対象書類名】明細書
【補正対象項目名】０００７
【補正方法】変更
【補正の内容】
【０００７】
また、本発明に係る表示端末は、
通信可能に接続された他の表示端末から送信され、前記他の表示端末に表示されている表示内容を示す情報を受信する受信手段と、
前記受信手段により受信された前記表示内容を示す情報に基づいて、前記他の表示端末の表示内容に関連する内容の関連情報を表示手段に表示させる制御手段と、を備えることを特徴としている。
【手続補正３】
【補正対象書類名】明細書
【補正対象項目名】０００８
【補正方法】変更
【補正の内容】
【０００８】
また、本発明に係る表示方法は、
互いが通信可能に接続された複数の表示端末のうち、第一の表示端末は、
第一の表示手段に表示されている表示内容を示す情報を取得する処理と、
取得された前記表示内容を示す情報を、第二の表示端末に送信する処理と、を行い、
前記第二の表示端末は、
前記第一の表示端末から送信された前記表示内容を示す情報を受信する処理と、
受信された前記表示内容を示す情報に基づいて、前記第一の表示手段の表示内容に関連する内容の関連情報を第二の表示手段に表示させる処理と、を行うことを特徴としている。
【手続補正４】
【補正対象書類名】明細書
【補正対象項目名】０００９
【補正方法】変更
【補正の内容】
【０００９】
また、本発明に係るプログラムは、
通信可能に他の表示端末と接続された表示端末が有するコンピュータを、
前記他の表示端末から送信され、当該他の表示端末に表示されている表示内容を示す情報を受信する受信制御手段、
受信された前記表示内容を示す情報に基づいて、前記他の表示端末の表示内容に関連する内容の関連情報を表示手段に表示させる表示制御手段、
として機能させることを特徴としている。
【手続補正５】
【補正対象書類名】明細書
【補正対象項目名】００１１
【補正方法】変更
【補正の内容】
【００１１】
【図１】本発明を適用した一実施形態の表示システムの概略構成を示す図である。
【図２】図１の表示システムを構成する腕時計型表示端末の概略構成を示すブロック図である。
【図３】図１の表示システムを構成する眼鏡型表示端末の概略構成を示すブロック図である。
【図４】図１の表示システムによる表示処理に係る動作の一例を示すフローチャートである。
【図５】図１の表示システムによる表示処理を説明するための図である。
【手続補正６】
【補正対象書類名】明細書
【補正対象項目名】００２６
【補正方法】変更
【補正の内容】
【００２６】
なお、無線処理部１０８は、例えば、無線ＬＡＮモジュール等から構成され、外部のアクセスポイントを経由せずに直接眼鏡型表示端末２の無線処理部２０７との間で無線通信回線を構築するPeer to Peer（アドホックモード）で動作しても良い。
【手続補正７】
【補正対象書類名】明細書
【補正対象項目名】００２７
【補正方法】変更
【補正の内容】
【００２７】
操作入力部１０９は、端末本体に対して各種指示を入力するためのものである。
具体的には、操作入力部１０９は、端末本体の電源のＯＮ／ＯＦＦに係る電源ボタン、モードや機能等の選択指示に係る上下左右のカーソルボタンや決定ボタン等の各種ボタン（何れも図示略）を備えている。
そして、ユーザにより各種ボタンが操作されると、操作入力部１０９は、操作されたボタンに応じた操作指示を中央制御部１０１に出力する。中央制御部１０１は、操作入力部１０９から出力され入力された操作指示に従って所定の動作（例えば、地図画面の表示等）を各部に実行させる。
【手続補正８】
【補正対象書類名】明細書
【補正対象項目名】００４５
【補正方法】変更
【補正の内容】
【００４５】
無線処理部２０７は、所定の無線通信回線を介して接続された腕時計型表示端末１等の外部機器との情報の通信制御を行う。
即ち、無線処理部２０７は、腕時計型表示端末１の無線処理部１０８と略同様に、例えば、通信アンテナ２０７ａを介してBluetooth（登録商標）等の無線により通信可能な距離が所定距離に制限された近距離無線通信規格により実現される無線ＰＡＮを介して腕時計型表示端末１と接続する。
【手続補正９】
【補正対象書類名】明細書
【補正対象項目名】００４７
【補正方法】変更
【補正の内容】
【００４７】
なお、無線処理部２０７は、腕時計型表示端末１の無線処理部１０８と略同様に、例えば、無線ＬＡＮモジュール等から構成され、外部のアクセスポイントを経由せずに直接腕時計型表示端末１の無線処理部１０８との間で無線通信回線を構築するPeer to Peer（アドホックモード）で動作しても良い。
【手続補正１０】
【補正対象書類名】特許請求の範囲
【補正対象項目名】全文
【補正方法】変更
【補正の内容】
【特許請求の範囲】
【請求項１】
第一の表示端末は、
第一の表示手段と、
前記第一の表示手段に表示されている表示内容を示す情報を取得する取得手段と、
前記取得手段により取得された前記表示内容を示す情報を、通信可能に接続された第二の表示端末に送信する送信手段と、を備え、
前記第二の表示端末は、
第二の表示手段と、
前記第一の表示端末から送信された前記表示内容を示す情報を受信する受信手段と、
前記受信手段により受信された前記表示内容を示す情報に基づいて、前記第一の表示手段の表示内容に関連する内容の関連情報を前記第二の表示手段に表示させる制御手段と、を備えることを特徴とする表示システム。
【請求項２】
前記第二の表示端末は、
ユーザから当該第二の表示端末の表示領域越しに前記第一の表示手段の表示領域が見える位置に存するか否かを判定する判定手段を更に備え、
前記制御手段は、
前記判定手段により存すると判定された場合に、前記関連情報を前記第二の表示手段の表示領域に表示させることを特徴とする請求項１に記載の表示システム。
【請求項３】
前記表示内容を示す情報は、前記第一の表示手段に表示されている範囲を示す範囲情報を含むことを特徴とする請求項２記載の表示システム。
【請求項４】
前記関連情報は、前記第一の表示手段に表示されている表示内容に対応する情報を一部に含む情報であり、
前記制御手段は、更に、
前記判定手段により存すると判定された場合に、前記第一の表示手段に表示されている表示内容に対して前記関連情報に含まれる当該表示内容に対応する情報の位置を一致させるように前記関連情報を前記第二の表示手段の表示領域に表示させることを特徴とする請求項３に記載の表示システム。
【請求項５】
前記関連情報は、前記第一の表示手段に表示されている表示内容以外の情報を含み、
前記制御手段は、更に、
前記判定手段により存すると判定された場合に、前記第一の表示手段に表示されている表示内容に対して前記関連情報に含まれる当該表示内容に対応する情報の位置を一致させるように前記関連情報を前記第二の表示手段の表示領域に表示させることを特徴とする請求項３に記載の表示システム。
【請求項６】
前記第二の表示手段は、更に、
外界像の光に対して前記関連情報の光を重畳して表示領域に透過表示することを特徴とする請求項１乃至５のいずれかに記載の表示システム。
【請求項７】
前記第一の表示端末は、
当該端末本体の傾きを検出する検出手段を更に備え、
前記送信手段は、
前記検出手段により検出された当該端末本体の傾きを示す情報を前記第二の表示端末に送信し、
前記第二の表示端末の前記制御手段は、前記受信手段により受信された前記第一の表示端末本体の傾きを示す情報に基づいて、前記関連情報を傾斜させて前記第二の表示手段に表示させることを特徴とする請求項１乃至６のいずれかに記載の表示システム。
【請求項８】
前記第一の表示端末にあっては、
前記第一の表示手段は、
前記検出手段により検出された当該端末本体の傾きを示す情報に基づいて、前記表示内容を傾斜させて表示することを特徴とする請求項７に記載の表示システム。
【請求項９】
前記第一の表示端末は、手首に装着される腕時計型の表示端末であり、
前記第二の表示端末は、頭に装着される眼鏡型の表示端末であることを特徴する請求項１乃至８のいずれかに記載の表示システム。
【請求項１０】
通信可能に接続された他の表示端末から送信され、前記他の表示端末に表示されている表示内容を示す情報を受信する受信手段と、
前記受信手段により受信された前記表示内容を示す情報に基づいて、前記他の表示端末の表示内容に関連する内容の関連情報を表示手段に表示させる制御手段と、を備えることを特徴とする表示端末。
【請求項１１】
第一の表示端末と、第二の表示端末からなる表示システムであって、
前記第一の表示端末が有する第一の表示手段と、
前記第二の表示端末が有する第二の表示手段と、
前記第一の表示手段に表示されている表示内容を示す情報を取得する取得手段と、
前記表示内容を示す情報に基づいて、前記第一の表示手段の表示内容に関連する内容の関連情報を前記第二の表示手段に表示させる制御手段と、
を備えることを特徴とする表示システム。
【請求項１２】
互いが通信可能に接続された複数の表示端末のうち、第一の表示端末は、
第一の表示手段に表示されている表示内容を示す情報を取得する処理と、
取得された前記表示内容を示す情報を、第二の表示端末に送信する処理と、を行い、
前記第二の表示端末は、
前記第一の表示端末から送信された前記表示内容を示す情報を受信する処理と、
受信された前記表示内容を示す情報に基づいて、前記第一の表示手段の表示内容に関連する内容の関連情報を第二の表示手段に表示させる処理と、を行うことを特徴とする表示方法。
【請求項１３】
通信可能に他の表示端末と接続された表示端末が有するコンピュータを、
前記他の表示端末から送信され、当該他の表示端末に表示されている表示内容を示す情報を受信する受信制御手段、
受信された前記表示内容を示す情報に基づいて、前記他の表示端末の表示内容に関連する内容の関連情報を表示手段に表示させる表示制御手段、
として機能させることを特徴とするプログラム。